(57)【要約】【課題】フィルタの透過特性のバラツキによらず、常に安定した明るさや色相の反射光を検出することができ、蛍光と反射光とのコントラストを向上させることができる蛍光観察システムを提供する。【解決手段】励起光を含む白色光を発生させるキセノンランプ１２を有する光源装置３と、キセノンランプ１２から出射された白色光に含まれる励起光と、励起光とは離散した波長帯域のバックグラウンド光とを交互に透過させる回転フィルタ１５と、励起光により得られる被写体の蛍光像と、バックグラウンド光により得られる被写体のバックグラウンド光像とを撮像するＣＣＤ９と、蛍光像とバックグラウンド光像とを同期化し、画像処理して蛍光画像として出力するビデオプロセッサ４と、蛍光画像を表示する観察モニタ５とを備えている。【選択図】図１
2006187322.tif 000002
【特許請求の範囲】
【請求項１】
蛍光物質を含有する被写体に対して励起光を照射して得られる蛍光像を表示する蛍光観察システムにおいて、
前記励起光を含む照明光を発生させる光源と、
前記光源と前記被写体との間に配置され、前記光源から出射された前記照明光には、前記励起光と、前記励起光とは離散した波長帯域のバックグラウンド光とを交互に透過させるフィルタ手段と、
前記励起光により得られる前記被写体の前記蛍光像と、前記バックグラウンド光により得られる前記被写体のバックグラウンド光像とを撮像する撮像手段と、
前記蛍光像と前記バックグラウンド光像とを同期化し、画像処理して蛍光画像として画像表示手段に表示させるために出力する画像処理手段と、
を備えたことを特徴とする蛍光観察システム。
【請求項２】
前記画像処理手段が、前記蛍光像に対して前記バックグラウンド像が反対色になるように色調調整を施すための色調調整手段を有することを特徴とする請求項１に記載の蛍光観察システム。
【請求項３】
前記被写体と前記撮像手段との間に、前記励起光を遮断し、かつ前記バックグラウンド光像と前記蛍光像とを透過させる第二のフィルタ手段を更に備えたことを特徴とする請求項１又は請求項２に記載の蛍光観察システム。
【発明の詳細な説明】
【技術分野】
【０００１】
本発明は、蛍光物質を含有する被写体に励起光を照射して、被写体の発する蛍光の情報を得る蛍光観察システムに関する。
【背景技術】
【０００２】
近年、一般にＰＤＤ（Ｐｈｏｔｏｄｙｎａｍｉｃｓ Ｄｉａｇｎｏｓｉｓ）と称せられる光力学的診断についての研究が種々なされている。この光力学的診断とは、腫瘍組織に蓄積しやすい蛍光剤を被写体に投与しておき、励起光を照射し、腫瘍組織に蓄積された蛍光剤から発せられる蛍光像を観察し、その蛍光像の有無や、形状を観察することにより腫瘍部分を診断する技術のことである。
【０００３】
腫瘍組織に蓄積している蛍光剤の蛍光と励起光が正常組織に照射されたときの反射光とのコントラストを高めるために、蛍光励起波長域の光を透過させて高波長域の光を遮断するフィルタを光源側に設け、一部の反射光のみを透過させて低波長域の光を遮断するフィルタを撮像手段側に設けた蛍光観察システムが提案されている（例えば、特許文献１参照）。
【特許文献１】特表平１１−５１１３６９号公報（図１）
【発明の開示】
【発明が解決しようとする課題】
【０００４】
しかしながらこの提案においては、光源側のフィルタの透過特性と、撮像手段側のフィルタと透過特性との重なり部分が正常組織からの反射光として検出されるが、フィルタの透過特性のバラツキにより正常組織からの反射光の明るさや色相が変化してしまい、所望のコントラストが得られなくなってしまうという問題があった。
【０００５】
そこで、本発明においては、フィルタの透過特性のバラツキによらず、常に安定した明るさや色相の反射光を検出することができ、蛍光と反射光とのコントラストを向上させることができる蛍光観察システムを提供することを目的とする。
【課題を解決するための手段】
【０００６】
本発明の蛍光観察システムは、蛍光物質を含有する被写体に対して励起光を照射して得られる蛍光像を表示する蛍光観察システムであって、励起光を含む照明光を発生させる光源と、光源と被写体との間に配置され、光源から出射された照明光には、励起光と、励起光とは離散した波長帯域のバックグラウンド光とを交互に透過させるフィルタ手段と、励起光により得られる被写体の蛍光像と、バックグラウンド光により得られる被写体のバックグラウンド光像とを撮像する撮像手段と、蛍光像とバックグラウンド光像とを同期化し、画像処理して蛍光画像として画像表示手段に表示させるために出力する画像処理手段とを備えている。
【発明の効果】
【０００７】
常に安定した明るさや色相の反射光を検出することができ、蛍光と反射光とのコントラストを向上させることができる蛍光観察システムを実現することができる。
【発明を実施するための最良の形態】
【０００８】
以下、図面を参照して本発明の実施の形態を説明する。
【０００９】
（第１の実施の形態）
まず、図１に基づき、本発明の第１の実施の形態に係わる蛍光観察システム１の全体構成について説明する。図１は、本実施の形態に係わる蛍光観察システム１の全体構成を説明するブロック図である。図１に示すように、本実施の形態の蛍光観察システム１は、撮像手段を備えた電子内視鏡２と、電子内視鏡２に照明光を供給する光源装置３と、電子内視鏡２から出力される撮像信号を信号処理して画像信号を生成する、画像処理手段としてのビデオプロセッサ４と、ビデオプロセッサ４から出力される画像信号を表示する、画像表示手段としての観察モニタ５と、ビデオプロセッサ４から出力される画像信号を符号化し圧縮画像として保存する画像ファイリング装置６とから構成されている。
【００１０】
電子内視鏡２は、体腔内に挿入される硬性鏡７と、硬性鏡７の基端側に着脱可能に連接されたカメラヘッド部８とから構成されている。カメラヘッド部８には、硬性鏡７の図示しない対物レンズによって受光された被写体からの光を撮像して撮像信号を生成する、撮像手段としてのＣＣＤ９が設けられている。また、硬性鏡７の側端面からはライトガイドケーブル１０が延設されており、その一端は光源装置３に接続されている。また、電子内視鏡２には、硬性鏡７の先端まで照明光を伝達するガラスファイバ束であるライトガイド１１が配置されている。ライトガイド１１は、硬性鏡７、ライトガイドケーブル１０内を挿通され、光源装置３に接続されており、光源装置３から出射される照明光を硬性鏡７の先端まで導光する。
【００１１】
光源装置３は、照明光である白色光を発生させるキセノンランプ１２を有する。キセノンランプ１２から射出された白色光は、その光路中に配置された熱線カットフィルタ１３を透過することで熱線が遮断された後、光量を制限する絞り装置１４を経て、フィルタ手段としての円板形状の回転フィルタ１５に入射される。回転フィルタ１５を透過することによって面順次光になされた照明光は、集光レンズ１６によって集光されてライトガイド１１の入射端に入射される。
【００１２】
ここで、回転フィルタ１５の構造と特性について、図２から図４を用いて説明する。図２は回転フィルタ１５の構造を説明する概略図、図３は第一のフィルタ組１７の透過特性の一例を説明する図、図４は第二のフィルタ組１８と励起光カットフィルタ２４の透過特性の一例を説明する図である。図２に示すように、回転フィルタ１５は、同心円状の外周側に通常観察用の第一のフィルタ組１７が配置され、同心円状の内周側に蛍光観察用の第二のフィルタ組１８が配置されており、観察モードに応じていずれかのフィルタが選択され、照明光の光路上に挿入される。通常観察用の第一のフィルタ組１７は、Ｒ１フィルタ１７ｒ１と、Ｇ１フィルタ１７ｇ１と、Ｂ１フィルタ１７ｂ１とから構成され、各フィルタは例えば図３に示すような透過特性を有している。すなわち、Ｒ１フィルタ１７ｒ１は５８０ｎｍ−７２０ｎｍの赤の波長帯域、Ｇ１フィルタ１７ｇ１は４８０ｎｍ−６２０ｎｍの緑の波長帯域、Ｂ１フィルタ１７ｂ１は３８０ｎｍ−５２０ｎｍの青の波長帯域を透過するように、それぞれ設定されている。第一のフィルタ組１７を透過することで、照明光は、色再現に適した面順次光となる。
【００１３】
一方、蛍光観察用の第二のフィルタ組１８は、励起光を発生させる２枚の励起フィルタ１８ｅ１、１８ｅ２と、バックグラウンド光を発生させるバックグラウンドフィルタ１８ｂ２とから構成され、各フィルタは例えば図４に示すような透過特性を有している。すなわち、励起フィルタ１８ｅ１、１８ｅ２は４１０ｎｍを中心とする３８５ｎｍ−４３５ｎｍの波長帯域、バックグラウンドフィルタ１８ｂ２は４７５ｎｍ−５２５ｎｍの波長帯域を透過するようにそれぞれ設定されている。このように離散的な分光特性を有する第二のフィルタ組１８を透過することで、照明光は２バンドの狭帯域の面順次光になされる。
【００１４】
上述のような構成と特性とを有する回転フィルタ１５は、回転フィルタ１５を照明光の光軸周りに回転させる回転フィルタモータ１９と共に、モード切替モータ２０によって照明光の光路と直交する方向（図１の符号Ｐの矢印で示す方向）に移動され、回転フィルタ１５に配置された第一のフィルタ組１７と第二のフィルタ組１８とのいずれかが選択的に光路上に挿入される。更に、光源装置３は、キセノンランプ１２、絞り装置１４、回転フィルタモータ１９、及びモード切替モータ２０を駆動させるための電力を供給する電源２１と、回転フィルタモータ１９の動作を制御する制御回路２２とを備えている。
【００１５】
ライトガイド１１に入射された照明光は硬性鏡７の先端面の図示しない照明窓を通り、被写体に照射される。通常観察モードにおいては、赤（Ｒ）、緑（Ｇ）、青（Ｂ）の面順次の照明光が被写体に照射され、蛍光観察モードにおいては、励起光とバックグラウンド光との面順次の照明光が被写体に照射される。
【００１６】
一方、カメラヘッド部８には被写体からの光を集光する対物光学系２３が設けられており、対物光学系２３の結像位置にはＣＣＤ９が配置されている。ＣＣＤ９の先端側には、対物光学系２３との間に励起光カットフィルタ２４が挿入されており、被写体からの反射光のうち３８５ｎｍ−４３５ｎｍの励起光を遮断して蛍光を抽出する。励起光カットフィルタ２４は、図４に示すように、４７０ｎｍ以上の波長帯域を透過するように設定されており、励起フィルタ１８ｅ１、１８ｅ２の透過特性と重ならないように設定されている。すなわち、バックグラウンドフィルタ１８ｂ２を透過した光は励起光カットフィルタ２４も透過することができるが、励起フィルタ１８ｅ１、１８ｅ２を透過した光は励起光カットフィルタ２４によって遮断される。回転フィルタ１５のそれぞれのフィルタを通過した照射光に対応する撮像信号は、ＣＣＤ９からビデオプロセッサ４へ時系列で順次出力される。尚、時系列で出力される撮像信号は、通常観察モードにおいてはＲ、Ｂ、Ｇの色信号となり、蛍光観察モードにおいては励起光の下で撮像された蛍光信号とバックグラウンド光の下で撮像されたバックグラウンド信号となる。
【００１７】
ＣＣＤ９から光電変換されて出力される時系列の撮像信号は、ビデオプロセッサ４に入力され、所定の範囲の電気信号（例えば、０〜１ボルト）に増幅するためのアンプ３１に入力される。このアンプ３１の出力信号は、プロセス回路３２に入力されて相関２重サンプリングやノイズ除去などの処理が行われる。プロセス回路３２から出力された撮像信号は、Ａ／Ｄ変換器３３に入力されてデジタル化された画像信号に変換される。Ａ／Ｄ変換器３３から出力されたデジタルの画像信号は、ホワイトバランス回路（図１においてはW．B．と示す）３４へ入力されて、ホワイトバランス調整、すなわち、光学系の透過特性などの機材ばらつき（機種による差や個体差を含む）から生じた色調のばらつきを補正するために、基準となる白の被写体を撮像した場合にＲ、Ｇ、Ｂの各色信号のレベルが等しくなるように、各色信号に対してゲイン調整がなされる。ホワイトバランス回路３４から出力された画像信号は、１入力３出力のセレクタ３５に入力される。時系列に送られてくる画像信号は、セレクタ３５によってＲ、Ｇ、Ｂの各色信号、もしくは励起フィルタ１８ｅ１を透過した励起光による蛍光信号、励起フィルタ１８ｅ２を透過した励起光による蛍光信号、バックグラウンド光信号に分離されて、順番に同時化メモリ３６、３７、３８へ入力され、読み出されるときに同時化される。同時化メモリ３６、３７、３８から出力された各信号は、画像処理回路３９へ入力されて、ガンマ補正処理、輪郭強調処理、色調調整処理などが行われる。画像処理回路３９から出力された各信号は、それぞれD／A変換回路４０、４１、４２へ入力されてアナログ信号へ変換され、観察モニタ５及び符号化回路４３へ出力される。観察モニタ５には、通常の白色光で照明及び撮像された内視鏡画像、もしくは励起光とバックグラウンド光とによって照明及び撮像された蛍光画像が表示される。D／A変換回路４０、４１、４２で変換されたアナログ信号は、観察モニタ５の他に符号化回路４３へも出力されて、符号化される。符号化された信号は、画像をファイリングするデジタルファイリング装置６へ出力されて圧縮画像として保存される。
【００１８】
ビデオプロセッサ４には、ＣＣＤ９を駆動させるＣＣＤドライバ４４も設けられている。更に、ビデオプロセッサ４には、光源装置３の制御回路２２から回転フィルタ１５の回転に同期した同期信号を受信して、ビデオプロセッサ４内の各回路へ動作タイミングを制御するタイミング信号を出力するタイミングジェネレータ（図１においてはＴ．Ｇ．と示す）４５も設けられている。
【００１９】
本実施の形態においては、通常観察モードと蛍光観察モードとの二種類のモードで被写体を観察することができ、観察モードはカメラヘッド部８に設けられたモード切替スイッチ４６により設定することができる。設定された観察モードは、モード切替スイッチ４６からビデオプロセッサ４に設けられたモード切替回路４７へ出力される。モード切替回路４７は、設定された観察モードに応じた制御信号を、調光制御パラメータ回路４８と、調光回路４９と、モード切替モータ２０とに出力する。調光制御パラメータ回路４８は、設定された観察モードにおいて使用される回転フィルタ１５に応じた調光制御パラメータを調光回路４９へ出力する。すなわち通常観察モードの場合は第一のフィルタ組１７に応じた調光制御パラメータを出力し、蛍光観察モードの場合は第二のフィルタ組１８に応じた調光制御パラメータを出力する。調光回路４９は、モード切替回路４７から受信した制御信号と、調光制御パラメータ回路４８から受信した調光制御パラメータとに基づき、適正な明るさの照明光が被写体に照射されるように、絞り装置１４を制御する。モード切替モータ２０は、設定された観察モードに対応したフィルタが照明光の光路上に挿入されるように、回転フィルタ１５を照明光の光路と直交する方向に移動させる。すなわち、通常観察モードの場合は第一のフィルタ組１７が光路上に挿入されるように回転フィルタ１５を移動させ、蛍光観察モードの場合は第二のフィルタ組１８が光路上に挿入されるように回転フィルタ１５を移動させる。尚、モード切替回路４７は、上述した各種制御のほかに、図示しないゲインの制御や画像フィールド数の制御なども行うことができる。
【００２０】
上述のように構成された蛍光観察システム１の作用について説明する。まず、通常観察モードが選択されている場合の作用について説明する。硬性鏡７が被写体と対向する位置に配置され、蛍光観察システム１の図示しない電源が投入されると、光源装置３のキセノンランプ１２から照明光である白色光が出射される。照明光は、熱線カットフィルタ１３を透過して熱線が遮断された後、絞り装置１４によって適切な光量に調節され、回転フィルタ１５に入射される。
【００２１】
通常観察モードが選択されている場合、照明光の光路上には第一のフィルタ組１７が挿入されている。よって、入射された照明光は、Ｒ１フィルタ１７ｒ１と、Ｇ１フィルタ１７ｇ１と、Ｂ１フィルタ１７ｂ１とを透過することで、赤（Ｒ）、緑（Ｇ）、青（Ｂ）の光のみがフィルタリングされて、光源装置３からライトガイド１１へ順次出射される。ライトガイド１１に入射されたＲ、Ｇ、Ｂの面順次の照明光は、硬性鏡７の先端面の図示しない照明窓を通り、被写体に照射される。面順次の照明光が照射されることによって、被写体から散乱光、反射光、放射光が発生する。これらの光は、カメラヘッド部８に設けられた対物光学系２３により集光され、励起光カットフィルタ２４を透過して４７０ｎｍ未満の波長域の光が遮断された後、ＣＣＤ９の光電変換面に結像されて光電変換される。ＣＣＤ９から光電変換されて出力される時系列の撮像信号は、ビデオプロセッサ４に入力され、所定の範囲の電気信号（例えば、０〜１ボルト）に増幅するためのアンプ３１に入力される。このアンプ３１の出力信号は、プロセス回路３２に入力されて相関２重サンプリングやノイズ除去などの処理が行われる。プロセス回路３２から出力された撮像信号は、Ａ／Ｄ変換器３３に入力されてデジタル化された画像信号に変換される。Ａ／Ｄ変換器３３から出力されたデジタルの画像信号は、ホワイトバランス回路３４へ入力されて、ホワイトバランス調整がなされる。ホワイトバランス回路３４から出力された画像信号は、１入力３出力のセレクタ３５に入力される。時系列に送られてくる画像信号は、セレクタ３５によってＲ、Ｇ、Ｂの各色信号に分離されて、順番に同時化メモリ３６、３７、３８へ入力され、読み出されるときに同時化される。同時化メモリ３６、３７、３８から出力された各信号は、画像処理回路３９へ入力されて、ガンマ補正処理、輪郭強調処理、色調調整処理などが行われる。画像処理回路３９から出力された各信号は、それぞれD／A変換回路４０、４１、４２へ入力されてアナログ信号へ変換された後、観察モニタ５へ出力される。観察モニタ５には、通常の白色光で照明及び撮像された内視鏡画像が表示される。D／A変換回路４０、４１、４２で変換されたアナログ信号は、観察モニタ５の他に符号化回路４３へも出力されて、符号化される。符号化された信号は、画像ファイリング装置６へ出力されて圧縮画像として保存される。
【００２２】
図３に示すように、Ｒ１フィルタ１７ｒ１が透過させる光の波長帯域と、Ｇ１フィルタ１７ｇ１が透過させる光の波長帯域との一部を重複させ、Ｇ１フィルタ１７ｇ１が透過させる光の波長帯域とＢ１フィルタ１７ｂ１が透過させる光の波長帯域との一部を重複させるように第一のフィルタ組１７の透過特性が設定されている。このように第一のフィルタ組１７の透過特性が設定されていることで、観察者の所望の色調の内視鏡画像や、自然な色合いの内視鏡画像を得ることができる。
【００２３】
次に、蛍光観察モードでの作用について説明する。蛍光観察モードで観察を行う場合としては、例えば、膀胱癌の癌組織を検査して治療する場合があげられる。検査に先立って検査対象部位である被写体に５−ＡＬＡ（５−Ａｍｉｎｏｌｅｖｕｌｉｎｉｃ.ａｃｉｄ）を投与すると、癌組織である腫瘍部のみ化学変化を起こしてＰｒｏｔｏｐｏｒｐｈｙｒｉn ＩＸが生成される。Ｐｒｏｔｏｐｏｒｐｈｙｒｉn ＩＸは４１７ｎｍの波長の励起光が照射されると、６３０ｎｍの波長の蛍光を励起する性質を有する。この性質を利用して蛍光観察が行われる。
【００２４】
まず、カメラヘッド部８に設けられたモード切替スイッチ４６を操作することで、通常観察モードから蛍光観察モードへ観察モードが切り替えられると、モード切替モータ２０が作動して、第二のフィルタ組１８が光路上に挿入されるように回転フィルタ１５を、照明光の光路と直交する方向（図１の符号Ｐの矢印で示す方向）に移動させる。また、絞り装置１４も作動して、適正な明るさの照明光が被写体に照射されるように調整される。すると、光源装置３のキセノンランプ１２から射出され、熱線カットフィルタ１３、絞り装置１４を経て回転フィルタ１５に入射された白色光は、励起フィルタ１８ｅ１、１８ｅ２と、バックグラウンドフィルタ１８ｂ２とを透過することで、３８５ｎｍ−４３５ｎｍの波長の励起光と、４７５ｎｍ−５２５ｎｍの波長のバックグラウンド光のみがフィルタリングされて、光源装置３からライトガイド１１へ順次射出される。ライトガイド１１に入射された面順次の照明光は、硬性鏡７の先端面の図示しない照明窓を通り、被写体に照射される。励起光が照射されることによって、被写体のうち癌組織である腫瘍部からは６３０ｎｍの波長の蛍光が発生する。また、バックグラウンド光が照射されることによって、被写体のうち腫瘍部以外の部分から、散乱光、反射光、放射光が発生する。これらの光は、カメラヘッド部８に設けられた対物光学系２３により集光され、励起光カットフィルタ２４を透過して４７０ｎｍ未満の波長域の光が遮断された後、ＣＣＤ９の光電変換面に結像されて光電変換される。ＣＣＤ９から光電変換されて出力される時系列の撮像信号は、ビデオプロセッサ４に入力され、通常観察モードと同様の信号処理が施され、観察モニタ５へ出力される。観察モニタ５には、励起光及び白色光であるバックグラウンド光で照明及び撮像された、蛍光画像が表示される。観察者は、表示された蛍光画像を観察しながら、癌組織の切除等の処置を施すことができる。尚、D／A変換回路４０、４１、４２で変換されたアナログ信号は、観察モニタ５の他に符号化回路４３へも出力されて、符号化される。符号化された信号は、デジタルファイリング装置６へ出力されて圧縮画像として保存される。
【００２５】
このように、本実施の形態の蛍光観察システム１では、第二のフィルタ組１８が離散的な分光特性を有し、２バンドの狭帯域の面順次光を透過させるように設定されていることで、蛍光強度とバックグラウンド光の強度の光学的な明るさ（透過率）のばらつきが抑制され、常に安定した明るさや色相の反射光を検出することができ、蛍光と反射光とのコントラストを向上させることができる。
【００２６】
（第２の実施の形態）
次に、本発明の第２の実施の形態について説明する。本実施の形態における蛍光観察システムは、第１の実施の形態の蛍光観察システムと同様の構成であるので、同じ構成には同じ符号を付して説明を省略する。ここでは特徴となる、蛍光観察モードにおける作用についてのみ説明する。
【００２７】
光源装置３のキセノンランプ１２から出射され、熱線カットフィルタ１３、絞り装置１４を経て回転フィルタ１５に入射された白色光は、３８５ｎｍ−４３５ｎｍの波長の励起光と、４７５ｎｍ−５２５ｎｍの波長のバックグラウンド光のみがフィルタリングされて、光源装置３からライトガイド１１へ順次出射される。ライトガイド１１に入射された面順次の照明光は、硬性鏡７の先端面の図示しない照明窓を通り、被写体に照射される。励起光が照射されることによって、被写体のうち癌組織である腫瘍部からは６３０ｎｍの波長の蛍光が発生する。また、バックグラウンド光が照射されることによって、被写体のうち腫瘍部以外の部分から、散乱光、反射光、放射光が発生する。これらの光は、カメラヘッド部８に設けられた対物光学系２３により集光され、励起光カットフィルタ２４を透過して４７０ｎｍ未満の波長域の光が遮断された後、ＣＣＤ９の光電変換面に結像されて光電変換される。ＣＣＤ９から光電変換されて出力される時系列の撮像信号は、ビデオプロセッサ４に入力される。
【００２８】
ビデオプロセッサ４に入力された撮像信号は、アンプ３１、プロセス回路３２、Ａ／Ｄ変換器３３、ホワイトバランス回路３４において順次所定の信号処理を施された後、１入力３出力のセレクタ３５に入力される。時系列に送られてくる画像信号は、セレクタ３５によって、励起フィルタ１８ｅ１を透過した励起光による蛍光信号、励起フィルタ１８ｅ２を透過した励起光による蛍光信号、バックグラウンド光信号の各信号に分離されて、順番に同時化メモリ３６、３７、３８へ入力され、読み出されるときに同時化される。同時化メモリ３６、３７、３８から出力された各信号は、画像処理回路３９へ入力されて、ガンマ補正処理、輪郭強調処理、色調調整処理などが行われる。特に、色調調整処理では、蛍光とバックグラウンド光とが常に反対色になるような処理が施される。画像処理回路３９から出力された各信号は、それぞれD／A変換回路４０、４１、４２へ入力されてアナログ信号へ変換された後、観察モニタ５へ出力される。観察モニタ５には、励起光とバックグラウンド光とで照明及び撮像された、蛍光画像が表示される。D／A変換回路４０、４１、４２で変換されたアナログ信号は、観察モニタ５の他に符号化回路４３へも出力されて、符号化される。符号化された信号は、デジタルファイリング装置６へ出力されて圧縮画像として保存される。
【００２９】
このように、本実施の形態の蛍光観察システム１では、画像処理回路３９において、蛍光とバックグラウンド光とが常に反対色になるように色調調整処理が施すことによって、励起フィルタ１８ｅ１、１８ｅ２と、バックグラウンドフィルタ１８ｂ２とを透過される光の波長がばらつくことに起因する検出光（蛍光及びバックグラウンド光の反射光）の色相のばらつきを補正し、蛍光と反射光とのコントラストをより向上させることができる。
【００３０】
以上の実施の形態から、次の付記項に記載の点に特徴がある。
【００３１】
（付記項１）光源装置内に蛍光を励起させる励起フィルタと、バックグラウンド光を生成するバックグラウンドフィルタとを複数備えた回転板を光源装置内に具備し、
前記回転板を回転させることにより複数の波長の光を発することを特徴とする蛍光観察システム。
【００３２】
（付記項２）前記バックグラウンド光と前記蛍光とが反対色になるような画像処理回路を更に具備したことを特徴とする、付記項１に記載の蛍光観察システム。
【図面の簡単な説明】
【００３３】
【図１】本実施の形態に係わる蛍光観察システム１の全体構成を説明するブロック図である。
【図２】図２は回転フィルタ１５の構造を説明する概略図である。
【図３】第一のフィルタ組１７の透過特性の一例を説明する図である。
【図４】第二のフィルタ組１８と励起光カットフィルタ２４の透過特性の一例を説明する図である。
【符号の説明】
【００３４】
１  蛍光観察システム、２  電子内視鏡、３  光源装置３  ビデオプロセッサ、５  観察モニタ５、６  画像ファイリング装置、７  硬性鏡、８  カメラヘッド部、９  ＣＣＤ、１０  ライトガイドケーブル、１１  ライトガイド、１２  キセノンランプ、１３  熱線カットフィルタ、１４  絞り装置、１５  回転フィルタ、１６  集光レンズ、１７  第一のフィルタ組、１７ｒ１  Ｒ１フィルタ、１７ｇ１  Ｇ１フィルタ、１７ｂ１  Ｂ１フィルタ、１８  第二のフィルタ組、１８ｅ１、１８ｅ２  励起フィルタ、１８ｂ２  バックグラウンドフィルタ、１９  回転フィルタモータ、２０  モード切替モータ、２１  電源、２２  制御回路、２３  対物光学系、２４  励起光カットフィルタ、３１  アンプ、３２  プロセス回路、３３  Ａ／Ｄ変換器、３４  ホワイトバランス回路、３５  セレクタ、３６、３７、３８  同時化メモリ、３９  画像処理回路、４０、４１、４２  D／A変換回路、４３  符号化回路、４４  ＣＣＤドライバ、４５  タイミングジェネレータ、４６  モード切替スイッチ、４７  モード切替回路、４８  調光制御パラメータ回路、４９  調光回路、
代理人    弁理士    伊  藤    進
【図１】
2006187322.tif 000003
【図２】
2006187322.tif 000004
【図３】
2006187322.tif 000005
【図４】
2006187322.tif 000006